(57)【特許請求の範囲】
【請求項１】
光ファイバーケーブルの一方の端面を、光信号を送信する送信機と光信号を受信する受信機とを備えた送受信機に接続する工程と、
前記光ファイバーケーブルの他方の端面を空気に開放した状態で、前記送受信機の送信機から光信号を送信し、空気に開放された端面における反射光信号を受信機にて受信して、その光量を測定する第１の測定工程と、
前記光ファイバーケーブルの他方の端面に、前記光ファイバーケーブルのコアの屈折率と同じ屈折率を有する固形物を接触させた状態で、前記送受信機の送信機から光信号を送信し、前記固形物に接触させた端面における反射光信号を受信機にて受信して、その光量を測定する第２の測定工程と、
前記第１および第２の各測定工程にてそれぞれ測定された光量に基づいて、遠端反射率を算出する工程とを包含し、
前記遠端反射率を、次の（１）式によって求めることを特徴とする光ファイバーケーブルの遠端反射率の測定方法。
【数１】
0003750925.tif 000007
【請求項２】
光ファイバーケーブルの一方の端面を、光信号を送信する送信機と光信号を受信する受信機とを備えた送受信機に接続する工程と、
前記光ファイバーケーブルの他方の端面を空気に開放した状態で、前記送受信機の送信機から光信号を送信し、空気に開放された端面における反射光信号を受信機にて受信して、その光量を測定する第１の測定工程と、
前記光ファイバーケーブルの他方の端面に、前記光ファイバーケーブルのコアの屈折率と同程度の屈折率を有する固形物を接触させた状態で、前記送受信機の送信機から光信号を送信し、前記固形物に接触させた端面における反射光信号を受信機にて受信して、その光量を測定する第２の測定工程と、
前記第１および第２の各測定工程にてそれぞれ測定された光量に基づいて、遠端反射率を算出する工程とを包含し、
前記遠端反射率を、次の（２）式によって求めることを特徴とする光ファイバーケーブルの遠端反射率の測定方法。
【数２】
0003750925.tif 000008
【請求項３】
前記固形物は、ゲル状になっているか、又は、エラストマーにより形成されている、請求項１または２に記載の光ファイバーケーブルの遠端反射率の測定方法。
【請求項４】
前記固形物は、容器内に充填されている、請求項１〜３のいずれかに記載の光ファイバーケーブルの遠端反射率の測定方法。
【請求項５】
前記容器には、前記光ファイバーケーブルの先端部分が挿入される開口部を形成した蓋が取り付けられている、請求項４に記載の光ファイバーケーブルの遠端反射率の測定方法。
【請求項６】
前記蓋に形成された開口部に、前記光ファイバーケーブルの先端部分を取り付ける固定部材が設けられている、請求項５に記載の光ファイバーケーブルの遠端反射率の測定方法。
【請求項７】
前記容器の内側は、光吸収材によって覆われている、請求項４〜６のいずれかに記載の光ファイバーケーブルの遠端反射率の測定方法。
【請求項８】
前記固形物は、板状に形成され、前記光ファイバーケーブルの端面を、前記固形物に対して斜めに接触させる、請求項１または２に記載の光ファイバーケーブルの遠端反射率の測定方法。
【請求項９】
前記固形物の周辺は、光遮光性と光吸収性とを有する材質によって覆われている、請求項８に記載の光ファイバーケーブルの遠端反射率の測定方法。
【発明の詳細な説明】
【０００１】
【発明の属する技術分野】
本発明は、一本の光ファイバーケーブルを共有して双方向に光信号を送受信する光通信システム、特に、ＩＥＥＥ１３９４、ＵＳＢ２等の高速伝送が可能なデジタル通信システムに用いられる光ファイバーケーブルの遠端反射率の測定方法に関する。
【０００２】
【従来の技術】
光ファイバーケーブルを用いた従来の光通信技術について説明する。
【０００３】
図６（Ａ）〜（Ｂ）は、それぞれ、光ファイバーケーブルを用いた片方向通信方法を説明する概略図である。
【０００４】
図６（Ａ）に示す片方向通信方法では、第１の送受信機１から第２の送受信機２に向かって、光ファイバケーブル３を介して光信号による情報の伝達を行う場合を示しており、第１の送受信機１の送信機１ａと第２の送受信機２の受信機２ｂとが光ファイバーケーブル３に接続される。
【０００５】
また、逆に、第２の送受信機２から第１の送受信機１に向かって、光ファイバケーブル３を介して光信号による情報の伝達を行う場合には、図６（Ｂ）に示すように、第２の送受信機２の送信機２ａと第１の送受信機１の受信機１ｂとが光ファイバーケーブル３によって接続される。
【０００６】
なお、第１の送受信機１から第２の送受信機２にのみ光信号を送信する場合には、第１の送受信機１の受信機１ｂ及び第２の送受信機の送信機２ａは不要になり、逆に、第２の送受信機２から第１の送受信機１にのみ光信号を送信する場合には、第２の送受信機２の受信機２ｂ及び第１の送受信機１の送信機１ａは不要になる。
【０００７】
さらに、第１の送受信機１から第２の送受信機２への光信号の送信と、第２の送受信機２から第１の送受信機１への光信号の送信とを実現する場合には、図６（Ｃ）に示すように、１本の光ファイバーケーブル３によって、第１の送受信機１の送信機１ａと第２の送受信機２の受信機２ｂとが接続されて、他の光ファイバーケーブル４によって、第２の送受信機２の送信機２ａと第１の送受信機１の受信機１ｂとが接続される。
【０００８】
したがって、片方向光通信方法において、一対の送受信機間において双方向に光信号の送受信が可能な全二重通信を実施する場合には、２本の光ファイバーケーブルを用意しなければならないという問題がある。
【０００９】
次に、１本の光ファイバーケーブルによって、双方向に光信号を送受信することができる全二重通信方法について説明する。
【００１０】
図７（Ａ）は、１本の光ファイバーケーブルによって双方向に光信号を送受信する方法を説明するための概略図である。
【００１１】
この双方向の通信方法では、第１の送受信機１１と、第２の送受信機１２とのそれぞれに１本の光ファイバーケーブル１３を接続する。
【００１２】
各送受信機１１及び１２には、それぞれコネクタ１１ａ及び１２ａが設けられており、光ファイバーケーブル１３の各端面１３ａ及び１３ｂには、各送受信機１１及び１２のコネクタ１１ａ及び１２ａに接続されるプラグ（図示せず）がそれぞれ設けられている。
【００１３】
図７（Ｂ）は、各送受信機１１及び１２のそれぞれのコネクタ１１ａ及び１２ａと光ファイバーケーブル１３の両端面１３ａ及び１３ｂを示す概略図である。
【００１４】
第１の送受信機１１から第２の送受信機１２に向けて光信号を送信する場合、送受信機１１の送信機１１ｂからコネクタ１１ａに接続された光ファイバケーブル１３の端面１３ａに光信号を照射することにより、この光信号が光ファイバーケーブル１３内に導入されて第２の送受信機１２に送信され、第２の送受信機１２のコネクタ１２ａに接続された光ファイバーケーブル１３の端面１３ｂから第２の送受信機１２の受信機１２ｃに光信号が照射される。
【００１５】
また、同様に、第２の送受信機１２から第１の送受信機１１に光信号を送信する場合には、送受信機１２の送信機１２ｂから光ファイバーケーブル１３を介して、第１の送受信機１１の受信機１１ｃに光信号が照射されることにより送信される。
【００１６】
この場合、例えば、第１の送受信機１１の送信機１１ｂから照射された光信号は、光ファイバーケーブル１３を透過して第２の送受信機１２の受信機１２ｃに達するが、光ファイバーケーブル１３の各端面１３ａ及び１３ｂにてそれぞれ反射される光信号が一部に存在する。
【００１７】
図８は、光ファイバーケーブル１３の各端面１３ａ及び１３ｂにて反射される光信号を説明する概略図である。
【００１８】
図８（Ａ）に示すように、光ファイバーケーブル１３の各端面１３ａ及び１３ｂが第１及び第２の送受信機１１及び１２のコネクタ１１ａ及び１２ａにそれぞれ接続されて、第１の送受信機１１から第２の送受信機１２へ光信号が送信される場合には、図８（Ｂ）に矢印Ｃで示すように、光ファイバーケーブル１３に光信号が入射される端面１３ａにて、光信号の一部が反射され（近端反射）、また、矢印Ｄで示すように、光ファイバーケーブル１３から光信号が出射される端面１３ｂにおいても、光信号の一部が反射される（遠端反射）。光ファイバーケーブル１３の近端側の端面１３ａ及び遠端側の端面１３ｂにてそれぞれ反射される光信号は、送受信機１２の送信機から送受信機１１の受信機に送信される本来の光信号と共に、ノイズとなって、送受信機１１の受信機１１ｃに伝達される。
【００１９】
このため、光ファイバーケーブル１３にて伝達される光信号が、近端反射及び遠端反射によって、どの程度減少するかを正確に測定することは重要である。
【００２０】
遠端反射による光信号の減少を表す遠端反射率は、例えば、光ファイバーケーブル１３の端面１３ｂから空気中に光信号を出射して、遠端反射が発生した状態で、受信機１３ｃで受信される光信号を測定するとともに、光ファイバーケーブル１３の端面１３ｂを光ファイバーケーブル１３のコアの屈折率と同じ屈折率を有する液体であるマッチングオイルに浸して、光ファイバーケーブル１３のその端面１３ｂにおいて遠端反射が起こらない状態として、受信機１３ｃで受信される光信号の光量を測定して、測定されたそれぞれの光信号の光量に基づいて求めている。
【００２１】
【発明が解決しようとする課題】
光ファイバーケーブル１３の端部には、コネクタに接続されるプラグ等が取り付けられるが、光ファイバーケーブル１３の端面１３ｂを液体であるマッチングオイルに浸すと、光ファイバーケーブル１３の端面１３ｂにプラグを取り付ける際に、プラグと光ファイバーケーブル１３のコアとの間にマッチングオイルが浸透するおそれがある。このため、多数の光ファイバーケーブル１３の遠端反射率を測定する場合には、各光ファイバーケーブル１３の端面１３ｂからマッチングオイルを除去するための作業が必要であり、作業効率が悪化するという問題がある。
【００２２】
本発明は、上記問題に鑑みてなされたものであり、繰り返し測定を行うことができることにより作業効率に優れた、簡便な光ファイバーケーブルの遠端反射の測定方法を提供することを目的とする。
【００２３】
【課題を解決するための手段】
以上の問題を解決するため、本発明の光ファイバーケーブルの遠端反射率の測定方法は、光ファイバーケーブルの一方の端面を、光信号を送信する送信機と光信号を受信する受信機とを備えた送受信機に接続する工程と、前記光ファイバーケーブルの他方の端面を空気に開放した状態で、前記送受信機の送信機から光信号を送信し、空気に開放された端面における反射光信号を受信機にて受信して、その光量を測定する工程と、前記光ファイバーケーブルの他方の端面に、前記光ファイバーケーブルの屈折率と同じ、あるいは同程度の屈折率を有する固形物を接触させた状態で、前記送受信機の送信機から光信号を送信し、前記固形物に接触させた端面における反射光信号を受信機にて受信して、その光量を測定する工程と、各測定工程にてそれぞれ測定された光量に基づいて、遠端反射率を算出する工程と、を包含することを特徴とするものである。
【００２４】
このことにより、光ファイバーケーブルの端面に設置されたプラグ等の隙間に液体が浸透することがなく、容易に光ファイバーケーブルの遠端反射率を測定することができる。
【００２５】
また、本発明における遠端反射率の測定方法は、前記光ファイバーケーブルの屈折率と同じ屈折率を固形物が有する場合に、次の（１）式によって求められるものとすることが好ましい。
【００２６】
【数３】
0003750925.tif 000002
また、本発明における遠端反射率の測定方法は、前記光ファイバーケーブルの屈折率と同程度の屈折率を固形物が有する場合に、次の（２）式によって求められるものとすることが好ましい。
【００２７】
【数４】
0003750925.tif 000003
このことにより、光ファイバーケーブルの遠端反射率を簡単に測定することができる。
【００２８】
また、本発明における前記固形物は、ゲル状になっているか、又は、エラストマーにより形成されているものであることが好ましい。
【００２９】
このことにより、光ファイバーケーブルの端面に液状物質が浸透することなく、容易に光ファイバーケーブルの端面を遠端反射が発生しない状態にすることができる。
【００３０】
また、本発明における前記固形物は、容器内に充填されているものであることが好ましい。
【００３１】
このことにより、容易に固形物を取り扱うことができる。
【００３２】
また、本発明における前記容器には、前記光ファイバーケーブルの先端部分が挿入される開口部を形成した蓋が取り付けられているものとすることが好ましい。
【００３３】
このことにより、光ファイバーケーブルの端面の周囲からの入射光を防ぐことができ、光ファイバーケーブルの端面の遠端反射率を精度よく測定することができ、また、固形物にゴミ、ホコリ等の塵埃が付着することを防止することができる。
【００３４】
また、本発明において、前記蓋に形成された開口部に、前記光ファイバーケーブルの先端部分を取り付ける固定部材が設けられているものとすることが好ましい。
【００３５】
このことにより、光ファイバーケーブルの端面の遠端反射率の測定の際に、光ファイバーケーブルの端面を手で押えておく必要がなくなり、測定が容易になる。
【００３６】
また、本発明において、前記容器の内側は、光吸収材によって覆われているものとすることが好ましい。
【００３７】
このことにより、容器に反射した光が光ファイバーケーブルに再入射することを防止することができる。
【００３８】
また、本発明における前記固形物は、板状に形成され、前記光ファイバーケーブルの先端部分を、前記固形物に対して斜めに接触させるものとすることが好ましい。
【００３９】
このことにより、固形物の容量を少なくすることができる。
【００４０】
また、本発明における前記固形物の周辺は、光遮光性と光吸収性とを有する材質によって覆われているものとすることが好ましい。
【００４１】
このことにより、外部光が固形物に入射することを防止することができ、また、固形物中を伝播する光が反射することを防止することができる。
【００４２】
【発明の実施の形態】
以下、本発明に係る光ファイバーケーブルの遠端反射率の測定方法について、図面に基づいて説明する。
【００４３】
図１は、本実施の形態の光ファイバーケーブルの遠端反射率の測定方法を説明する概略図である。
【００４４】
まず、図１に示すように、光ファイバーケーブル２７の一方の端面２７ａを送受信機２６に接続する。送受信機２６は、光信号を発信する発光素子２１を有する送信機２２と光信号を受信する受光素子２３を有する受信機２４と、送信機２２からの光信号を光ファイバーケーブル２７に透過させ、光ファイバーケーブル２７からの光信号を受信機２４に受信されるように反射させる光分岐素子２５とを備えている。
【００４５】
また、光ファイバーケーブル２７の他方の遠方側の端面２７ｂ側には、この光ファイバーケーブル２７のコアの屈折率と同じ、あるいは同程度の屈折率を有する固形物２８を準備する。
【００４６】
このような状態で、まず、図２（Ａ）に示すように、光ファイバケーブル２７における送受信機２６に接続されていない端面２７ｂを空気中に開放した状態として、矢印Ｄに示すように、光ファイバーケーブル２７の遠端側の端面２７ｂにて光が反射される状態にする。そして、その状態において、遠端反射と近端反射による反射光を送受信機２６にて測定する。
【００４７】
次に、図２（Ｂ）に示すように、光ファイバーケーブル２７の遠端側の端面２７ｂを、光ファイバーケーブル２７の屈折率と同じ、あるいはほぼ同程度の屈折率を有する固形物２８に接触させることにより、光ファイバーケーブル２７の遠端側の端面２７ｂと固形物２８との間にて屈折率差が生じない、あるいはほとんど生じない状態とする。このような状態で、送受信機２６の送信機２２から光信号を送信すると、光ファイバーケーブル２７内を伝播する光信号は、光ファイバーケーブル２７の端面２７ｂで、全くあるいはほとんど反射することなく固形物２８に進入する。その状態において、近端反射などによる反射光を送受信機２６の受信機２６にて測定する。
【００４８】
この固形物２８として使用される材質の具体例を次の表１に示す。表１中の材質は、適度な硬度を有するとともに、アクリル製の光ファイバーケーブル２７の屈折率（１．４９）とほぼ同程度の屈折率（１．４〜１．５１）を有し、光ファイバーケーブル２７に対する表面反射率（％）が０．００１％〜０．００９７％となり、ほぼ無視することができる。
【００４９】
【表１】
0003750925.tif 000004
このようにして、光ファイバーケーブル２７の遠端側の端面２７ｂにおける遠端反射が、ある状態とない状態の反射光量が測定されると、各測定値に基づいて、光ファイバーケーブル２７の遠端側の先端部分２７ｂの遠端反射率を求める。
【００５０】
この遠端反射率は、光ファイバーケーブル２７と固形物２８の屈折率差が全く生じない場合には、次の（１）式により表される定義式により算出される。
【００５１】
【数５】
0003750925.tif 000005
なお、上記（１）式中Ａ、Ｂは、別の測定実験により求められる数値である。
【００５２】
また、遠端反射率は、光ファイバーケーブル２７と固形物２８の屈折率差が僅かに生じる場合には、次の（２）式により表される定義式により算出される。
【００５３】
【数６】
0003750925.tif 000006
次に、本実施の形態の光ファイバーケーブル２７の端面２７ｂの遠端反射率を実際に測定した実験例について説明する。
【００５４】
光ファイバーケーブル２７の送受信機２６が設置された側に対して遠端側の端面２７ｂを空気に開放した状態として、送受信機２６の送信機２２から光信号を発信すると、送受信機２６の受信機２４の受光素子（フォトダイオード）２３には、０．２１７μＡの電流が検出された。
【００５５】
次に、光ファイバーケーブル２７の遠端側の端面２７ｂを光ファイバーケーブル２７の屈折率と同じ屈折率を有する固形物（ゲル）２８に接触させた状態にして、送受信機２６の送信機２２から光信号を発信すると、送受信機２６の受信機２４の受光素子（フォトダイオード）２３には、０．０４μＡの電流が検出された。
【００５６】
この測定の際の受光素子（フォトダイオード）２３の光量を電流値に変換する変換率は、０．３８（Ａ／Ｗ）であり、この変換率によって、上記電流値（Ａ）を光量（Ｗ）に変換すると、光ファイバーケーブル２７の遠端側の端面２７ｂを空気に開放した場合（０．２１７μＡ）には、０．２１７（μＡ）／０．３８（Ａ／Ｗ）＝０．５７１（μＷ）となり、光ファイバーケーブル２７の遠端側の端面２７ｂを固形物２８に接触させた場合（０．０４μＡ）には、０．０４（μＡ）／０．３８（Ａ／Ｗ）＝０．１０５（μＷ）となる。
【００５７】
したがって、（０．５７１−０．１０５）（μＷ）＝０．４６６（μＷ）の光量が、光ファイバーケーブル２７の遠端側２７ｂで反射された光による、受光素子（フォトダイード）２３に入る光量として検出された。
【００５８】
さらに、別の実験により、光ファイバーケーブル２７の遠端側の端面２７ｂから反射された光量の光信号のうち、送受信機２６の受信機２４の受光素子２３に受光される割合を求め、その結果（１３．２％）から、光ファイバーケーブル２７の遠端側の端面２７ｂにおける遠端反射の光量は、０．４６６（μＷ）／０．１３２＝３．５３（μＷ）となる。
【００５９】
また、光ファイバーケーブル２７の遠端側の端面２７ｂに、パワーメーターを接続して、この端面２７ｂから放出される光量を測定すると、この端面２７ｂから放出される光量は、４３７．８（μＷ）であった。
【００６０】
以上の測定値を上記の（１）式に代入して、３．５３（μＷ）／（４３７．８（μＷ）＋３．５３（μＷ））＝０．００８０６により、光ファイバーケーブル２７の遠端側の端面２７ｂの遠端反射率：０．８０６％が算出された。
【００６１】
また、固形物２８の屈折率が、光ファイバーケーブル２７の屈折率と同程度の屈折率であるが、わずかな屈折率差を生じている場合、例えば、ポリエチレンゲル（屈折率：１．５１）を用いる場合、光ファイバーケーブル２７の表面では、０．００４４％の表面反射率が生じる。
【００６２】
この表面屈折率の影響を考慮して、（２）式に代入すると、（０．４６６＋４３７．８×０．００００４４）／（４３７．８×０．１３２＋０．４６６＋４３７．８×０．００００４４）＝０．００８３３となり、光ファイバーケーブル２７の遠端側の端面２７ｂの遠端反射率：０．８３３％が算出され、（１）式を用いた場合の値０．８０６％とほぼ同一の値が得られた。以上のように、固形物２８の屈折率が光ファイバーケーブル２７の屈折率とわずかに異なる場合でも、（１）式を適用して得られた値とほとんど同一の値が得られ、特に問題はない。
【００６３】
以上説明したように、本実施の形態では、光ファイバケーブル２７の遠端側の端面２７ｂを光ファイバーケーブル２７の屈折率と同じ、あるいは同程度の屈折率を有する固形物２８に接触させて、光ファイバーケーブル２７の遠端側の端面２７ｂの遠端反射率を測定したので、光ファイバーケーブル２７の端面２７ｂに設置されたプラグ等に液状物質が付着する等の問題が生じず、多数本の光ファイバーケーブル２７を、簡単に繰り返して測定することができる。
【００６４】
光ファイバーケーブル２７の端面２７ｂに接触される固形物２８としては、固体状物質あるいはゲル状物質を用いることができる。固形物２８がゲル状物質である場合には、図２（Ｃ）に示すように、ゲル状の固形物２８を容器２９に入れた状態で使用される。
【００６５】
また、固形物２８としては、天然または合成ゴム等のエラストマーを用いてもよい。
【００６６】
また、上記の固形物２８は、図３に示すように、光ファイバーケーブル２７の遠端側の先端部分２７ｂを挿入するための穴部３０ａを形成した蓋３０を容器２９の上に装着してもよい。
【００６７】
このような蓋３０を装着した容器２９に固形物２８を充填することによって、光信号の反射の原因となるホコリやゴミ等の塵埃が固形物２８に付着することを防止することができる。また、蓋３０に光ファイバーケーブル２７の遠端側の端面２７ｂを挿入する穴３０ａが形成されているので、光ファイバーケーブル２７の端面２７ｂを蓋３０の穴部３０ａ押し入れるだけでよく、周囲から光の入射を防止することができて、遠端反射率を精度よく測定することができる。
【００６８】
さらに、図４（Ａ）に示すように、容器２９に装着される蓋３０の穴部３０ａに光ファイバーケーブル２７の端面２７ｂを固定するための固定治具３１を設ければ、図４（Ｂ）に示すように、光ファイバーケーブル２７の端面２７ｂを容器２９内の固形物２８に押し当てた状態を維持することができ、遠端反射率の測定中に、光ファイバーケーブル２７の端面２７ｂを容器２９中の固形物２８に、手によって押しあてている必要がなく、遠端反射率の測定が容易になる。
【００６９】
また、固形物２８が入っている容器２９の内側を光吸収材で覆っておけば、容器２９中に伝播した光をこの光吸収材に吸収させることができ、さらに精度良く遠端反射率を測定することができる。
【００７０】
また、固形物２８を板状に構成して、図５に示すように、光ファイバーケーブル２７の端面２７ｂから出射される光を板状の固形物２８に対して斜めに入射するようにしてもよく、この場合は、図５に矢印Ｆで示すように、固形物２８中に入射された光が、光ファイバーケーブル２７の端面２７ｂから離れる方向に拡散されるために、固形物２８の体積を少なくしても固形物２８を透過した光が再度光ファイバーケーブル２７に入射することを防止することができる。
【００７１】
さらに、板状の固形物２８の周囲を光吸収材で覆っておけば、遠端反射率を測定する際に、図５中の矢印Ｇに示すように、周囲の蛍光灯等の外部光が固形物２８に入射されることを防止することができるとともに、固形物２８中を伝播する光を吸収することができる。
【００７２】
【発明の効果】
以上説明したように、本発明によれば、光ファイバーケーブルの端面から光信号が出射される際の端面における遠端反射率を測定するに際して、光ファイバーケーブルの先端部分に、光ファイバーケーブルの屈折率と同じ、あるいは同程度の屈折率を有する固形物を接触させるので、精度よく遠端反射率を測定することができ、しかも、光ファイバーケーブルの端面に液状物質が付着することがないために、光ファイバーケーブルの端面に付着した液状物質を取り除く作業が不要になり、多数本の光ファイバーケーブルに対して、簡単に、遠端反射率の測定をすることができる。
【図面の簡単な説明】
【図１】本発明の光ファイバーケーブルの端面の遠端反射率の測定方法を説明するための概略図である。
【図２】（Ａ）〜（Ｃ）は、それぞれ本発明の測定方法によって、遠端反射率を測定する際の光ファイバーケーブルの端面を説明する概略図である。
【図３】本発明の測定方法に使用される固形物を充填するための容器を示す斜視図である。
【図４】（Ａ）は、本発明の測定方法に使用される固形物を充填するための容器であって、光ファイバーケーブルの端面を挿入する穴部に固定治具を設けた容器を示す斜視図、（Ｂ）は、その容器に光ファイバーケーブルの端面を挿入した状態を示す斜視図である。
【図５】本発明の測定方法に使用される、板状に形成された固形物を示す側面図である。
【図６】（Ａ）〜（Ｃ）は、それぞれ光ファイバーケーブルを用いた片方向光通信技術を説明する概略図である。
【図７】（Ａ）及び（Ｂ）は、それぞれ光ファイバーケーブルを用いた双方向光通信技術を説明する概略図である。
【図８】（Ａ）及び（Ｂ）は、それぞれ光ファイバーケーブルを用いた双方向光通信技術において、光ファイバーケーブルの先端部分と、送受信機の接続部分を説明する概略図である。
【符号の説明】
２１  発光素子
２２  送信機
２３  受光素子
２４  受信機
２５  光分岐素子
２６  送受信機
２７  光ファイバーケーブル
２７ａ  端面
２７ｂ  端面
２８  固形物
【図１】
0003750925.tif 000009
【図２】
0003750925.tif 000010
【図３】
0003750925.tif 000011
【図４】
0003750925.tif 000012
【図５】
0003750925.tif 000013
【図６】
0003750925.tif 000014
【図７】
0003750925.tif 000015
【図８】
0003750925.tif 000016